(57)【要約】【課題】簡単に設置可能で、水平面に設置しても電装装置内部に雨水の浸入の虞れがない電装装置を提供する。【解決手段】ケース底面１３にスペーサ部材１６を設け、設置平面と底板間に間隙を形成した。【選択図】        図２
2005012036.tif 000002
【特許請求の範囲】
【請求項１】
ケース底面にスペーサ部材を設けたことを特徴とする電装装置。
【請求項２】
ケース底面にスペーサ部材を一体に突設した請求項１の電装装置。
【請求項３】
前記スペーサ部材にノッチを形成し、折除可能とした請求項２の電装装置。
【請求項４】
スペーサ部材を別部材とし、ケース底面に取付け可能とした請求項１の電装装置。
【発明の詳細な説明】
【０００１】
【発明の属する技術分野】
本発明は、建築構造物に設けられる電動式装置、例えば電動式シャッタ装置用の電装装置に関するものであり、特に電装装置の電装ケースに関するものである。
【０００２】
【従来の技術】
建築構造物の開口部を開閉する為に設けられる電動式シャッタ装置では、遠隔操作により開閉できる様になっているものが多く、シャッタ装置はリモートコントローラからの遠隔操作信号を受信する無線受信機、該無線受信機からの信号に基づきシャッタ装置の開閉機を駆動制御する制御装置を具備しており、前記無線受信機、前記制御装置は一体化された電装装置として、建築構造物の壁面、或はシャッタケース内に取付けられている。
【０００３】
図８は電装装置を具備する従来のシャッタ装置を示している。
【０００４】
図８中、１は建築構造物の出入口等の開口部であり、該開口部１の両側に沿ってガイドレール２，２が取付けられ、前記開口部１の上部にはシャッタケース３が設けられている。該シャッタケース３内には水平な巻取シャフト４が回転自在に設けられており、該巻取シャフト４は開閉機５によって回転され、前記巻取シャフト４の回転によりシャッタカーテン６が巻取られ、前記開口部１が開閉される様になっている。
【０００５】
前記開閉機５には遠隔操作信号を受信する無線受信機、受信した信号に基づき前記開閉機５の駆動を制御する制御装置が電気的に接続されており、前記無線受信機、前記制御装置は図９に示される様に、電装ケース７に一体的に収納され、電装装置８として所要の場所、例えば建築構造物の壁面、或は前記シャッタケース３の内部に取付けられる。
【０００６】
尚、前記電装装置８は前記開閉機５の近傍に設けられることが好ましく、又一度設置されるとメンテナンス等の場合以外は触ることがなく、寧ろ人目に付かない場所に取付けられることが好ましい。この為、前記電装装置８は前記シャッタケース３の内部、主に垂直面に取付けられることが多い。
【０００７】
図示しない送信機を具備するリモートコントローラを電動シャッタの近傍で操作し、遠隔操作信号を発することで、前記電装装置８が遠隔操作信号を受信し、前記開閉機５により前記シャッタカーテン６が開閉される様になっている。
【０００８】
前記シャッタ装置が、例えば建物の出入口に設けられている場合、出入口が前記シャッタカーテン６により閉鎖された状態で雨が降ると、雨水が付着して該シャッタカーテン６が濡れた状態となる。濡れた状態で該シャッタカーテン６を前記シャッタケース３内に巻取ると、前記シャッタカーテン６の外面に付着した雨水が前記シャッタケース３の底面に一時的に溜ることがある。前記電装装置８の内部に雨水が浸入すると、故障、作動不良の原因となる。この為、前記シャッタカーテン６が戸外に面している様な設置条件では前記電装装置８は、前記シャッタケース３の垂直面に螺子９等で取付けられ、溜った雨水により浸漬されない様にしている。
【０００９】
尚、遠隔操作によりシャッタカーテンを開閉するものとしては、例えば特許文献１に示されるものがある。
【００１０】
【特許文献１】
特開２００１−２７９９７０号公報
【００１１】
【発明が解決しようとする課題】
前記電装装置８を前記シャッタケース３の内面に取付ける作業は、高所作業となり、而も該シャッタケース３内での狭小な空間での作業となるので、手間が掛かっていた。
【００１２】
本発明は斯かる実情に鑑み、簡単に設置可能で、設置面が水平で雨水が溜る可能性がある場合でも、電装装置内部に雨水の浸入の虞れがない電装装置を提供するものである。
【００１３】
【課題を解決するための手段】
本発明は、ケース底面にスペーサ部材を設けた電装装置に係り、又ケース底面にスペーサ部材を一体に突設した電装装置に係り、又前記スペーサ部材にノッチを形成し、折除可能とした電装装置に係り、更に又スペーサ部材を別部材とし、ケース底面に取付け可能とした電装装置に係るものである。
【００１４】
【発明の実施の形態】
以下、図面を参照しつつ本発明の実施の形態を説明する。
【００１５】
尚、図１は電動式シャッタ装置に本発明に係る電装装置１１を設置した状態を示しており、図８中で示したものと同等のものには同符号を付してある。
【００１６】
前記電装装置１１は開口部１の上部に設けられるシャッタケース３の内部に設けられる。又、前記電装装置１１は前記シャッタケース３の底面に載置する等の方法で設置される。
【００１７】
図２、図３に於いて、前記電装装置１１について説明する。
【００１８】
該電装装置１１は電装ケース１２及び該電装ケース１２の内部に収納された無線受信機、制御装置等、前記電動シャッタ装置を遠隔操作で開閉する為に必要な電子機器（図示せず）によって構成され、該電子機器は開閉機５に電気的に接続されている。
【００１９】
前記電装ケース１２は、更に底板１３、該底板１３に取付けられるカバー１４から構成され、前記底板１３には前記電子機器が固着される。前記カバー１４が取付けられた状態で、前記底板１３の両端部１３ａが突出する様になっており、該両端部１３ａに１端側が開放された取付け用長孔１５が形成されている。
【００２０】
前記両端部１３ａの取付け面１３ｂは、中央部分に対して所要の段差で高くなっており、該取付け面１３ｂを平面に当接した場合、中央部分に隙間が生ずる様になっている。又、該取付け面１３ｂには、脚部１６が前記各両端部１３ａに対して２本ずつ突設されている。前記脚部１６は、前記取付け面１３ｂと前記シャッタケース３の底面間に所要の間隙を形成するスペーサ部材として機能し、前記シャッタケース３の底面に雨水が溜った場合に、前記電装装置１１が水に浸らない充分な高さを有している。又、前記脚部１６の基部にはＶノッチ（図示せず）が形成され、前記脚部１６はＶノッチ部分から折り、除去可能となっている。
【００２１】
次に、前記電装装置１１の設置作業について説明する。
【００２２】
該電装装置１１を前記開閉機５に接続する等、所要の配線を行った後、図１に示される様に、前記シャッタケース３の底面に前記電装装置１１が載置される。該電装装置１１と前記シャッタケース３とは特に固定する必要はなく、該シャッタケース３自体が固定構造物であり、又略密閉された構造であるので、風雨が直接前記電装装置１１に当ることはなく、設置状態は安定している。
【００２３】
従って、該電装装置１１の設置作業は、単に前記シャッタケース３の底部に置くだけの作業となるので、簡単である。
【００２４】
次に、降雨状態で前記シャッタカーテン６が開閉されると、該シャッタカーテン６に付着した雨水が、前記シャッタケース３底面に落下し溜る。溜った水の深さはせいぜい数ｍｍ程度、例えば２〜３ｍｍ程度であり、前記脚部１６の高さを１０ｍｍ程度より高くしておけば、前記電装装置１１が浸漬されることはない。
【００２５】
次に、該電装装置１１を前記シャッタケース３の垂直面或は建屋の壁面等に設置することも可能である。この場合、前記脚部１６を折って除去し、従来と同様、螺子９等の固着具で壁面等に固着する。
【００２６】
図５は、第２の実施の形態を示しており、前記底板１３に脚部１６を突設しない場合を示している。
【００２７】
該第２の実施の形態では、スペーサ部材として前記底板１３の下面所要位置にボス１７を前記底板１３に一体的に突設したものである。図示では、両端部１３ａの下面に突設し、前記ボス１７には止め孔１８が貫設されており、螺子が挿通できる様になっている。
【００２８】
電装装置１１をシャッタケース３の底面に設置する場合は、底面に載置し、特に固定する必要はなく、壁面等垂直面に設置する場合は、前記止め孔１８に螺子を挿通して壁面に固定する。壁面に設置した状態でも前記ボス１７分の間隙が形成される。尚、該ボス１７は螺子止めした場合も、折損する事のない充分な強度を有している。
【００２９】
図６は、第３の実施の形態を示しており、該第３の実施の形態ではスペーサ部材を底板１３とは別部材としたものである。別部材とすることで、既存の電装装置にも実施可能である。
【００３０】
棒状スペーサ２２に溝２３を刻設し、該溝２３は前記底板１３に形成した取付け用長孔１５に圧入可能となっている。尚、前記棒状スペーサ２２の材質としては、金属製、合成樹脂製、或はゴム製等種々の材質を選択可能である。
【００３１】
電装装置１１をシャッタケース３の底面に設置する場合は、前記棒状スペーサ２２を前記取付け用長孔１５に圧入し、前記棒状スペーサ２２を介して前記シャッタケース３の底面に載置する。又、壁面等垂直面に設置する場合は、前記棒状スペーサ２２は使用しないで、前記取付け用長孔１５に螺子を挿通して壁面に固定する。
【００３２】
図７は第４の実施の形態を示しており、第３の実施の形態と同様スペーサ部材に別部材を用いたものである。
【００３３】
スペーサ部材２１は、係着部２１ａと脚部２１ｂから構成され、前記係着部２１ａは拡縮可能となっており、前記脚部２１ｂは両端にフランジ部２１ｃを有している。
【００３４】
前記底板１３の所要位置、少なくとも３箇所に、係着孔１９が設けられ、該係着孔１９に前記係着部２１ａが係合する様になっている。
【００３５】
電装装置１１をシャッタケース３の底面に設置する場合は、前記スペーサ部材２１を前記底板１３に取付ける。
【００３６】
前記スペーサ部材２１の前記係着部２１ａを前記係着孔１９に挿入する。前記係着部２１ａが前記係着孔１９を貫通すると、前記係着部２１ａが広がり、前記フランジ部２１ｃと前記係着部２１ａ間で前記底板１３を挾持する状態となり、前記スペーサ部材２１は前記底板１３に固定される。
【００３７】
前記電装装置１１を前記シャッタケース３の底面に載置すると、前記脚部２１ｂがスペーサとして機能し、前記シャッタケース３の底面と前記底板１３との間に間隙が形成される。
【００３８】
前記スペーサ部材２１の材質としては、弾性を有する合成樹脂、或はゴム等が用いられる。
【００３９】
上記実施の形態では、スペーサ部材２１側にスペーサ部材を設けたが、シャッタケース３の底面に設置場所を特定し、設置場所の少なくとも３箇所にスペーサ部材を設けてもよい。この場合、位置ズレしない様にスペーサの先端を底板１３側に設けた凹部、又は孔に嵌合する様にしてもよい。
【００４０】
【発明の効果】
以上述べた如く本発明によれば、ケース底面にスペーサ部材を設けたので、雨水が溜る可能性のある場所に設置しても、電装装置内部に雨水の浸入の虞れがない。又、ケース底面にスペーサ部材を一体に突設したので、部品点数が少なくなる。又、スペーサ部材を別部材とし、ケース底面に取付け可能としたので既存の電装装置に実施可能である等の優れた効果を発揮する。
【図面の簡単な説明】
【図１】本発明の実施の形態を示す一部を破断した正面図である。
【図２】本発明の実施の形態に係る電装装置の正面図である。
【図３】該電装装置の底面図である。
【図４】該電装装置の底面方向からの斜視図である。
【図５】本発明の第２の実施の形態を示す部分正面図である。
【図６】本発明の第３の実施の形態を示す部分正面図である。
【図７】本発明の第４の実施の形態を示す部分正面図である。
【図８】従来例を示す一部を破断した正面図である。
【図９】従来例の斜視図である。
【符号の説明】
１          開口部
２          ガイドレール
３          シャッタケース
４          巻取シャフト
５          開閉機
６          シャッタカーテン
１１        電装装置
１３        底板
１３ａ      両端部
１４        カバー
１５        取付け用長孔
１６        脚部
１７        ボス
１９        係着孔
２１        スペーサ部材
２２        棒状スペーサ
【図１】
2005012036.tif 000003
【図２】
2005012036.tif 000004
【図３】
2005012036.tif 000005
【図４】
2005012036.tif 000006
【図５】
2005012036.tif 000007
【図６】
2005012036.tif 000008
【図７】
2005012036.tif 000009
【図８】
2005012036.tif 000010
【図９】
2005012036.tif 000011